(57)【要約】      （修正有）【課題】タグの取付および取外しに手間がかからず、履物としての体裁を損なうおそれのない、履物へのタグ取付手段を提供する。【解決手段】一方の靴１の甲被にタグ取付用金具３が取り付けられている。タグ取付用金具は、一端が甲被の表面から突出した軸部と、軸部の一端に形成されかつ軸部よりも径の大きい頭部３２とを有する。タグに形成された差込用切欠き４１の縁部が、タグ取付用金具の頭部と甲被との間に差し込まれて両者によって挟み止められている。【選択図】図１
0003117728.tif 000002
【実用新案登録請求の範囲】
【請求項１】
１足の履物のうち少なくともいずれか一方（１）の甲被（２）またはバンドにタグ取付用金具（３）が取り付けられ、タグ取付用金具（３）は、一端が甲被（２）またはバンドの表面から突出した軸部（３１）と、軸部（３１）の一端に形成されかつ軸部（３１）よりも径の大きい頭部（３２）とを有しており、タグ（４）に形成された差込用切欠き（４１）または孔の縁部が、タグ取付用金具（３）の頭部（３２）と甲被（２）またはバンドとの間に差し込まれて両者（３２）（２）によって挟み止められていることを特徴とする、履物へのタグ取付構造。
【請求項２】
１足の履物のうち少なくともいずれか一方（１）の甲被（２）またはバンドにタグ取付用金具（３）が取り付けられ、タグ取付用金具（３）は、一端が甲被（２）またはバンドの表面から突出した軸部（３１）と、軸部（３１）の一端に形成されかつ軸部（３１）よりも径の大きい頭部（３２）とを有しており、タグ（４ａ）に形成された係合用切欠きまたは孔（４２）の縁部が、タグ取付用金具（３）の軸部（３１）における頭部（３２）と甲被（２）またはバンドとの間の部分に係り止められていることを特徴とする、履物へのタグ取付構造。
【請求項３】
履物が靴（１）であって、タグ取付用金具（３）が、靴（１）の甲被（２）における履き口の外側縁部に取り付けられていることを特徴とする、請求項１または２記載の履物へのタグ取付構造。
【請求項４】
甲被（２）またはバンドが、中芯材（２１）と、中芯材（２１）の表面に接合された表材（２２）と、中芯材（２１）の裏面に接合された裏材（２３）とを備えており、タグ取付用金具（３）の軸部（３１）が、表材（２２）および中芯材（２１）を貫通させられているとともに、軸部（３１）の他端に、中芯材（２１）と裏材（２３）との間に介在されかつ軸部（３１）の径よりも大きい径を有する偏平な抜け止め部（３３）が形成されていることを特徴とする、請求項１〜３のいずれか１つに記載の履物へのタグ取付構造。
【請求項５】
タグ取付用金具（３）の頭部（３２）表面に、表示部（３２１）が形成されていることを特徴とする、請求項１〜４のいずれか１つに記載の履物へのタグ取付構造。
【考案の詳細な説明】
【技術分野】
【０００１】
本考案は、靴やサンダル等の履物に、商品情報等が表示されたタグを取り付ける構造に関する。
【背景技術】
【０００２】
例えば、靴の販売に際して、当該靴に関する商標や機能等が表示されたタグを靴に取り付けて店頭に陳列することが一般に行われている。
【０００３】
靴にタグを取り付ける手段としては、甲被の踵部や締結バンド等にあけられた孔に糸またはタグピンを通してタグを吊り下げるもの（下記特許文献１参照）や、タグが吊り下げられたクリップを甲被の履き口に挟み止めるもの等が知られている。
【０００４】
しかしながら、前者のタグ取付手段の場合、タグの取付および取外しに手間がかかる上、甲被に孔が残ってしまうため、外観を損ねてしまうおそれがあった。
また、後者の手段の場合、クリップを使用するため、靴へのタグの取付および取外しは比較的簡単であるが、クリップで挟まれた甲被の履き口部分が変形、損傷し、それによって靴としての体裁が損なわれるおそれがあった。
さらに、両手段の場合、タグが靴の甲被に吊り下げられた状態となるため、タグのサイズをあまり大きくすることができないという問題があった。
【特許文献１】特開２００３−２４１１１号公報
【考案の開示】
【０００５】
本考案の目的は、タグの取付および取外しに手間がかからず、靴としての体裁を損なうおそれのない、履物へのタグ取付手段を提供することにある。
また、本考案のもう一つの目的は、より大きなサイズのタグを履物に取り付けることができるようにすることにある。
【０００６】
本考案による第１の履物へのタグ取付構造は、１足の履物のうち少なくともいずれか一方の甲被またはバンドにタグ取付用金具が取り付けられ、タグ取付用金具は、一端が甲被またはバンドの表面から突出した軸部と、軸部の一端に形成されかつ軸部よりも径の大きい頭部とを有しており、タグに形成された差込用切欠きまたは孔の縁部が、タグ取付用金具の頭部と甲被またはバンドとの間に差し込まれて両者によって挟み止められているものである。
【０００７】
上記第１のタグ取付構造にあっては、履物の甲被またはバンドに予めタグ取付用金具が取り付けられていて、該金具の頭部と甲被またはバンドとの間に、タグにおける差込用切欠きまたは孔の縁部を差し込めば、両者の挟持力によってタグが甲被に保持される。また、タグを甲被から取り外す際には、タグを所要方向に引き抜くだけでよい。
したがって、第１のタグ取付構造によれば、履物へのタグの取付および取外しを容易に行うことができ、しかもタグの取付によって履物の甲被やバンドに孔が残ったり、変形や損傷を生じるおそれがない。
その上、第１のタグ取付構造によれば、タグが、タグ取付用金具の頭部と靴の甲被またはバンドとによる挟持力によって履物に保持されるため、タグのサイズや向きの制約が少なく、タグによる広告効果をより高めることが可能となる。
【０００８】
次に、本考案による第２の履物へのタグ取付構造は、１足の履物のうち少なくともいずれか一方の甲被またはバンドにタグ取付用金具が取り付けられ、タグ取付用金具は、一端が甲被またはバンドの表面から突出した軸部と、軸部の一端に形成されかつ軸部よりも径の大きい頭部とを有しており、タグに形成された係合用切欠きまたは孔の縁部が、タグ取付用金具の軸部における頭部と甲被またはバンドとの間の部分に係り止められているものである。
【０００９】
上記第２のタグ取付構造にあっては、履物の甲被またはバンドに予めタグ取付用金具が取り付けられていて、該金具の軸部における頭部と甲被またはバンドとの間の部分に、タグの係合用孔または切欠きの縁部を係り止めれば、タグが甲被に保持される。また、タグを甲被から取り外す際には、タグを所要方向にずらすだけでよい。
したがって、第２のタグ取付構造によれば、履物へのタグの取付および取外しを容易に行うことができ、しかもタグの取付によって履物の甲被やバンドに孔が残ったり、変形や損傷を生じるおそれがない。
【００１０】
本考案による第１または第２のタグ取付構造において、履物が靴であって、タグ取付用金具が、靴の甲被における履き口の外側縁部に取り付けられている場合がある。
【００１１】
上記の場合、タグが靴の甲被表面の外側部に沿って配置されるため、靴を陳列した際に、靴のほぼ全体のシルエットが見える上、タグ自体も見やすく、また、タグのサイズを大きくすることができる。
【００１２】
本考案による第１または第２のタグ取付構造において、甲被またはバンドが、中芯材と、中芯材の表面に接合された表材と、中芯材の裏面に接合された裏材とを備えており、タグ取付用金具の軸部が、表材および中芯材を貫通させられているとともに、軸部の他端に、中芯材と裏材との間に介在されかつ軸部の径よりも大きい径を有する偏平な抜け止め部が形成されている場合がある。
【００１３】
上記の場合、タグ取付用金具が甲被の裏面側に露出しない上、最も裏面近くに位置する抜け止め部が偏平状となされているため、履物を履いた際に該金具の抜け止め部が足に当たることによって違和感や痛みを覚えるおそれがなく、履き心地が損なわれない。
【００１４】
本考案による第１または第２のタグ取付構造において、タグ取付用金具の頭部表面に表示部が形成されている場合がある。
【００１５】
本考案による第１または第２のタグ取付構造の場合、タグを取り外した後もタグ取付用金具は履物の甲被またはバンドに残るため、上記のようにタグ取付用金具の頭部表面に表示部が形成されていれば、同表示部に当該履物の商標や機能等を表示しておくことによって、購入後にその履物を見た第三者に対して広告機能を持たせることができ、また、タグ取付用金具を履物の装飾として機能させることが可能となる。
【考案を実施するための最良の形態】
【００１６】
図１〜３には、本考案の第１の実施形態が示されている。この実施形態は、本考案を靴へのタグ取付構造に適用したものである。
【００１７】
図１に示すように、１足の靴のうち左足用の靴（１）の甲被（２）にタグ取付用金具（３）が取り付けられている。金具（３）は、より詳細には、甲被（２）における履き口の外側縁部の後端寄り部分に取り付けられている。
【００１８】
甲被（２）は、図２に示すように、中芯材（２１）と、中芯材（２１）の表面に接合された表材（２２）と、中芯材（２１）の裏面に接合された裏材（２３）とを備えている。中芯材（２１）は、例えば、綿布やポリエステル布等の被伸縮性材料よりなる。表材（２２）は、例えば、ポリウレタン弾性糸入り化繊布等の伸縮性材料よりなる。裏材（２３）は、例えば、ポリウレタンフォーム等よりなるクッション材（２３１）にメリヤス生地等の伸縮性裏打ち材（２３２）を裏打ちしてなる。
【００１９】
タグ取付用金具（３）は、一端が甲被（２）の表面から突出した軸部（３１）と、軸部（３１）の一端に形成されかつ軸部（３１）よりも径の大きい頭部（３２）とを有している。軸部（３１）は、表材（２２）および中芯材（２１）を貫通させられている。軸部（３１）の他端には、中芯材（２１）と裏材（２３）との間に介在されかつ軸部（３１）の径よりも大きい径を有する偏平な抜け止め部（３３）が形成されている。この実施形態では、金具（３）は、軸部（３１）と頭部（３２）とを一体に有する金具本体（３Ａ）の軸部（３１）他端に、抜け止め部（３３）を構成する抜け止め部材（３Ｂ）が、カシメ、溶接等の接合手段によって接合されることにより形成されている。軸部（３１）は、中空筒状となされている。頭部（３２）は、円板状であって、その表面には表示部（３２１）が形成されている。表示部（３２１）は、例えば、頭部（３２）表面に、成形加工、切削加工、印刷、塗装等によって、当該靴（１）の商標や機能を表す文字、図形等を表示することによって形成される。抜け止め部材（３Ｂ）は、その表面中心部に、軸部（３１）の他端が強制的に嵌め入れられる短い筒状部（３４）を有している。また、抜け止め部材（３Ｂ）の周縁部（３５）は、表面側に向かって円弧状に折り曲げられている。以上の構成により、靴（１）を履いた際、タグ取付用金具（３）の抜け止め部（３３）と靴内に挿入された足（図示略）との間には、弾力性に富む甲被（２）の裏材（２３）が介在されることになり、しかも、抜け止め部（３３）は偏平状であるので、抜け止め部（３３）が足に当たって違和感や痛みを覚える心配がない。
【００２０】
タグ（４）は、図３に示すように、例えば板紙等によって形成された前後に長い方形板状のものであって、その上辺部後端寄り部分に差込用切欠き（４１）が形成されている。切欠き（４１）は、タグ（４）上辺から下方に向かって次第に幅狭となるように形成されたテーパ状上部切欠き部（４１１）と、上部切欠き部（４１１）に連なってその下方に形成された略円形の下部切欠き部（４１２）とを有している。上部切欠き部（４１１）は、上端部分の横幅が、金具（３）の頭部（３２）の径よりもやや大きくなされ、最も狭くなる下端部分の横幅が、頭部（３２）の径と軸部（３１）の径との中間の寸法となされている。下部切欠き部（４１２）の径は、上部切欠き部（４１１）上端部分の横幅とほぼ同じ寸法である。図示は省略したが、タグ（４）の表面には、靴の機能（例えば、撥水性、抗菌性等）や商標を示す文字、図形等が、例えば印刷等により表示されている。
【００２１】
図１および図２に示すように、タグ（４）は、その差込用切欠き（４１）の両縁部がタグ取付用金具（３）の頭部（３２）と甲被（２）との間に差し込まれて両者（３２）（２）で挟み止められることによって、靴（１）の甲被（２）に着脱自在に取り付けられている。この際、タグ（４）の切欠き（４１）の上部切欠き部（４１１）が上端に向かって広がったテーパ状となされているので、タグ（４）を金具（３）の頭部（３２）と甲被（２）との隙間に差し込み易い。タグ（４）は、金具（３）の軸部（３１）が下部切欠き部（４１２）に達するまで差し込まれる。
【００２２】
また、タグ（４）を取り外す際には、切欠き（４１）の両縁部がタグ取付用金具（３）の頭部（３２）と甲被（２）との隙間から外れるようにタグ（４）を所要方向に引っ張ればよい。
【００２３】
上述した第１の実施形態のタグ取付構造によれば、靴（１）へのタグ（４）の取付は、予め靴（１）の甲被（２）に取り付けられたタグ取付用金具（３）の頭部（３２）と甲被（２）との隙間にタグ（４）を差し込むだけでよいので、その作業をきわめて簡単に行いうる。同様に、タグ（４）を靴（１）から取り外す作業も、タグ（４）を上記隙間から引き抜くだけでよいので、簡単である。また、上記のタグ取付構造の場合、タグ（４）の取付によって甲被（２）に変形や破損をもたらすおそれが全くない。さらに、上記のタグ取付構造の場合、図１に示すように、タグ（４）が靴（１）の甲被（２）表面の外側部に沿って配置されるため、靴（１）を陳列した際に、靴（１）のほぼ全体のシルエットが見える上、タグ（４）自体も見やすくなり、タグ（４）のサイズを大きくすることができるため、靴（１）の機能等をタグ（４）の表面に詳しく表示することができる。また、タグ（４）を取り外した後も、靴（１）の甲被（２）にはタグ取付用金具（３）が残るが、同金具（３）の頭部（３２）表面には表示部（３２１）が形成されているので、それを目にする第三者に対して当該靴（１）の広告機能を発揮し得るものである。
【００２４】
なお、図１では、タグ（４）を前後に長い方形状として、甲被（２）表面の外側部に沿うように配置していたが、タグ（４）は、金具（３）の頭部（３１）と甲被（２）との挟持力によって保持されるため、図１に示したものとは異なる向きにタグを保持することも可能であり、タグの形状も任意に変更可能である。
【００２５】
図４および図５には、本考案の第２の実施形態が示されている。この実施形態では、タグ（４ａ）として図４に示すものが用いられている。即ち、図４のタグ（４ａ）は、図３に示すタグ（４）と比べてやや横方向の寸法が短い長方形をしている。また、タグ（４ａ）には、図３のような差込用切欠きに代えて、上辺部の長さ中央部分に、係合用孔（４２）が形成されている。係合用孔（４２）は、タグ取付用金具（３）の頭部（３２）の径よりもやや大きい径を有する下部円形孔部（４２１）と、下部円形孔部（４２１）の上縁から上方にのびる上部垂直孔部（４２２）とよりなる。タグ取付用金具（３）は、軸部（３１）における頭部（３１）と甲被（２）との間の部分の長さが、図１〜３に示す第１の実施形態のそれと比べると、若干長くなっている。
【００２６】
上記のタグ（４ａ）は、図５に示すように、係合用孔（４２）の縁部が、タグ取付用金具（３）の軸部（３１）における頭部（３２）と甲被（２）との間に位置する部分に係り止められることによって、靴（１）に着脱自在に取り付けられている。タグ（４ａ）の取付に際しては、タグ取付用金具（３）の頭部（３２）が係合用孔（４２）の下部円形孔部（４２１）をくぐり抜けるように、タグ（４ａ）を甲被（２）表面の外側部に当接させた後、そのままタグ（４）を下方に移動させて上部垂直孔部（４２２）の上縁が軸部（３１）に係り止められるようにすればよい。
【００２７】
第２の実施形態のタグ取付構造によれば、靴（１）へのタグ（４ａ）の取付および取外しを簡単に行うことができ、タグ（４ａ）の取付によって甲被（２）に変形や破損をもたらすおそれが全くなく、しかも、靴（１）を陳列した際に、靴（１）のほぼ全体のシルエットが見える上、タグ（４ａ）自体も見やすくなる。さらに、上記のタグ取付構造の場合、タグ（４ａ）の係合用孔（４２）の縁部がタグ取付用金具（３）の軸部（３１）に係り止められているため、タグ（４ａ）が靴（１）から不用意に外れる心配がない。
【００２８】
なお、図４に示すタグ（４ａ）は、これを第１の実施形態に適用することも可能である。この場合、タグ（４ａ）の係合用孔（４２）は、その縁部がタグ取付用金具（３）の頭部（３２）と甲被（２）との間に差し込まれる差込用孔として機能する。
【００２９】
また、第２の実施形態におけるタグ（４ａ）は、係合用孔（３２）に代えて、係合用切欠きを備えたものであってもよい。係合用切欠きは、その縁部がタグ取付用金具（３）の軸部（３１）に係り止められるものであれば特に限定されないが、例えばＪ形等にすることができる。
【図面の簡単な説明】
【００３０】
【図１】本考案の第１の実施形態を示すものであって、タグが取り付けられた靴の斜視図である。
【図２】図１のII−II線に沿う部分拡大垂直断面図である。
【図３】上記タグの正面図である。
【図４】本考案の第２の実施形態を示すものであって、タグの正面図である。
【図５】上記タグが取り付けられた靴の要部を示す部分拡大垂直断面図である。
【符号の説明】
【００３１】
（１）：靴
（２）：甲被
（２１）：中芯材
（２２）：表材
（２３）：裏材
（３）：タグ取付用金具
（３１）：軸部
（３２）：頭部
（３２１）：装飾
（３３）：抜け止め部
（４）：タグ
（４１）：差込用切欠き
（４ａ）：タグ
（４２）：係合用孔
【図１】
0003117728.tif 000003
【図２】
0003117728.tif 000004
【図３】
0003117728.tif 000005
【図４】
0003117728.tif 000006
【図５】
0003117728.tif 000007